(57)【要約】【課題】  枠体を合理的に構成し、且つデザイン的に優れた時計を得ること。【解決手段】  文字板２０と、文字板を囲む枠体３０とを備えた時計において、枠体には、当該枠体の表面を覆う第１の革体３３，３４を設けるとともに、装飾体６０を装着し、装飾体は、枠体の形状に対応する形状の芯材６１と、芯材を覆う第２の革体６２と、芯材と第２の革体との間に充填されたクッション６３とを備えた構成の時計である。また、文字板の正面を覆うとともに枠体に支持された透明板４０を備え、第１の革体の一部が透明板と当接することにより、枠体と透明板との隙間を塞ぐようにした。【選択図】図２
2006337081.tif 000002
【特許請求の範囲】
【請求項１】
文字板と、前記文字板を囲む枠体とを備えた時計において、
前記枠体には、装飾体を装着し、
前記装飾体は、前記枠体の形状に対応する形状の芯材と、前記芯材を覆う革体と、前記芯材と前記革体との間に充填されたクッションとを備えたことを特徴とする時計。
【請求項２】
文字板と、前記文字板を囲む枠体とを備えた時計において、
前記枠体には、当該枠体の表面を覆う第１の革体を設けるとともに、装飾体を装着し、
前記装飾体は、前記枠体の形状に対応する形状の芯材と、前記芯材を覆う第２の革体と、前記芯材と前記第２の革体との間に充填されたクッションとを備えたことを特徴とする時計。
【請求項３】
文字板と、前記文字板を囲む枠体と、前記文字板の正面を覆うとともに前記枠体に支持された透明板とを備えた時計において、
前記枠体には、当該枠体の表面を覆う革体を設け、
前記革体の一部が前記透明板と当接することにより、前記枠体と前記透明板との隙間を塞ぐようにしたことを特徴とする時計。
【請求項４】
前記革体の一部を折り重ね、この折り重ねた部位が前記透明板と当接するようにしたことを特徴とする請求項３記載の時計。
【発明の詳細な説明】
【技術分野】
【０００１】
本発明は、文字板を囲む枠体を備えた時計に関する。
【背景技術】
【０００２】
一般に、時計の文字板は、これを囲む枠体に組み付けられている。文字板の正面には、透明板が配置され、透明板の縁部は、枠体に支持されている。文字板、枠体、及び透明板の支持構造としては、さまざまな形態が提案されており、この種の時計は、例えば特許文献１乃至４にも開示されている。
【特許文献１】実開昭５９−４９９８７号公報
【特許文献２】実開昭５９−１２２５７９号公報
【特許文献３】特開平８−３６０６８号公報
【特許文献４】特開平８−１２２４５５号公報
【発明の開示】
【発明が解決しようとする課題】
【０００３】
さて近年、室内に設置する壁掛け時計や置時計等は、インテリアとしての効用も重要であり、そのデザインはますます多様化される傾向にある。特に近年、時計のデザインについては、形状や色調の美観のみならず、その質感にも新たな工夫を求める声が高まっている。本発明は、かかる事情に鑑みてなされたものであり、その目的は、枠体を合理的に構成し、且つデザイン的に優れた時計を得ることである。
【課題を解決するための手段】
【０００４】
本願第１請求項に記載した発明は、文字板と、前記文字板を囲む枠体とを備えた時計において、前記枠体には、装飾体を装着し、前記装飾体は、前記枠体の形状に対応する形状の芯材と、前記芯材を覆う革体と、前記芯材と前記革体との間に充填されたクッションとを備えた構成の時計である。
【０００５】
本願第２請求項に記載した発明は、文字板と、前記文字板を囲む枠体とを備えた時計において、前記枠体には、当該枠体の表面を覆う第１の革体を設けるとともに、装飾体を装着し、前記装飾体は、前記枠体の形状に対応する形状の芯材と、前記芯材を覆う第２の革体と、前記芯材と前記第２の革体との間に充填されたクッションとを備えた構成の時計である。
【０００６】
本願第３請求項に記載した発明は、文字板と、前記文字板を囲む枠体と、前記文字板の正面を覆うとともに前記枠体に支持された透明板とを備えた時計において、前記枠体には、当該枠体の表面を覆う革体を設け、前記革体の一部が前記透明板と当接することにより、前記枠体と前記透明板との隙間を塞ぐようにした構成の時計である。
【０００７】
本願第４請求項に記載した発明は、請求項３において、前記革体の一部を折り重ね、この折り重ねた部位が前記透明板と当接するようにした構成の時計である。
【発明の効果】
【０００８】
本発明によれば、枠体を合理的に構成し、且つデザイン的に優れた時計を得ることができる。
【発明を実施するための最良の形態】
【０００９】
以下に、本発明の実施例を図面に基づいて詳細に説明する。図１乃至図３に示す時計１は、アナログ式の電波修正時計であり、壁掛け時計となっている。この時計１は、文字板受け２５の正面に装着された文字板２０と、文字板２０及び文字板受け２５を囲む枠体３０と、文字板２０の正面を覆うとともに枠体３０に支持された透明板４０と、文字板受け２５の裏側に支持された裏蓋５０とを備えている。文字板受け２５は、枠体３０に支持されている。裏蓋５０は、文字板受け２５にねじ止め又は嵌装されている。また、枠体３０の正面には、後に詳述する装飾体６０が装着されている。
【００１０】
文字板受け２５の裏面には、ムーブメント２１が設けられている。ムーブメント２１は、文字板２０及び文字板受け２５を貫通した指針パイプ２２を備え、指針パイプ２２に支持された各指針２３は、文字板２０の正面側においてそれぞれ駆動される。
【００１１】
枠体３０は、文字板２０と透明板４０との間隔を規制する第１枠体部材３１と、透明板４０の縁部を保持する第２枠体部材３２とを備えている。第１枠体部材３１及び第２枠体部材３２は、雄ねじ部品１００にてそれぞれ文字板受け２５にねじ止めされている。第１枠体部材３１は、文字板２０及び文字板受け２５の正面に位置し、第２枠体部材３２は、文字板受け２５、第１枠体部材３１、及び透明板４０の端面を覆うように設けられている。透明板４０の縁部は、第１枠体部材３１及び第２枠体部材３２の間に挟み込まれた状態となっている。第１枠体部材３１及び第２枠体部材３２は、木製又は樹脂製の部材であり、透明板４０は、ガラス製又は透明樹脂製の部材である。
【００１２】
第２枠体部材３２には、その表面を覆う第１の革体３３，３４を設けている。ここで、革体とは、本革、合成革等の部材をいう。第１の革体３３としては、第２枠体部材３２の外周側を覆う革体３３と、第２枠体部材３２の内周側を覆う革体３４とを設けている。尚、各第１の革体３３，３４は、第２枠体部材３２の全周に亘って切れ目無く連続していると、第２枠体部材３２に装着するのが不可能又は困難となる。このため、各第１の革体３３，３４は、第２枠体部材３２に装着する際に複数のパーツを縫合したものとなっている。このような革体３３，３４を設けることによれば、枠体３０の質感を異ならしめることが可能となり、時計のデザイン性が確実に向上する。
【００１３】
更に本例では、第１の革体（内周側）３４の一部３４ａが透明板４０と当接することにより、枠体３０と透明板４０との隙間を塞ぐように構成している。すなわち、枠体３０に透明板４０を支持する場合、それらの間にはある程度のクリアランスが必要となるが、かかるクリアランスは、透明板４０のがたつきを生じる原因や、ゴミが侵入する原因となる。このため従来では、ゴムパッキン等にて隙間を塞いでいる。この点、本例によれば、第１の革体３４の一部３４ａを利用して隙間を塞ぐので、部材点数の削減を達成することができる。尚、第１の革体３４の厚さが不足する場合は、図４に示すように、第１の革体３４の一部を折り重ね、この折り重ねた部位３４ａが透明板４０と当接するように構成するとよい。このような構成によると、隙間を塞ぐ機能を確保するという点でより効果的となる。
【００１４】
本例の装飾体６０は、第２枠体部材３２の正面側に接着材又は両面テープにて装着されている。この装飾体６０は、枠体３０の形状に対応する形状の芯材６１と、芯材６１を覆う第２の革体６２と、芯材６１と第２の革体６２との間に充填されたクッション６３とを備えている。
【００１５】
芯材６１としては、厚紙又は樹脂シート等、適宜可塑性を有するシート状の部材を採用している。この芯材６１の形状は、第２枠体部材３２の正面形状に応じた環状となっている。
【００１６】
第２の革体６２は、第１の革体３３，３４と同じ素材を使用している。すなわち、各革体３３，３４，６２は、それぞれ異なる素材を使用してもよいのであるが、本例では、これらを全て同じ素材とすることにより、全体として統一感のあるデザインとなっている。
【００１７】
また、クッション６３としては、スポンジ、綿、又はエアチューブを採用している。密閉性を十分に確保すれば、ビーズのような粒体を採用することも可能である。
【００１８】
このような装飾体６０によると、従来とは異なる斬新な質感を得ることができる。従来、時計の枠体は、木製又は樹脂製の部材の表面に塗料を塗ったものが一般的であるところ、本例によれば、そのような枠体では得られない軟らかな外観及び感触を与えることができる。
【００１９】
以上説明したように、本例の時計は、デザインの多様化に大きく貢献するものとなっている。尚、本例における各部の構成は、特許請求の範囲に記載した技術的範囲において適宜に設計変更が可能であり、図例説明したものに限定されないことは勿論である。本例の構成は、壁掛け時計の他、置時計や目覚し時計等に応用することも可能である。
【産業上の利用可能性】
【００２０】
本発明の構成は、壁掛け時計、置時計、目覚し時計等、枠体を備えた各種の時計に応用することが可能である。
【図面の簡単な説明】
【００２１】
【図１】本発明の実施例に係り、時計の正面図である。
【図２】本発明の実施例に係り、時計の側面断面図であり、図１のＸ−Ｘ断面図である。
【図３】本発明の実施例に係り、時計の要部を示す側面断面図である。
【図４】本発明の実施例に係り、時計の要部を示す側面断面図である。
【符号の説明】
【００２２】
１      時計
２０      文字板
２１      ムーブメント
２２      指針パイプ
２３      指針
２５      文字板受け
３０      枠体
３１      第１枠体部材
３２      第２枠体部材
３３      第１の革体
３４      第１の革体
３４ａ      第１の革体の一部
４０      透明板
５０      裏蓋
６０      装飾体
６１      芯材
６２      第２の革体
６３      クッション
１００      雄ねじ部品
【図１】
2006337081.tif 000003
【図２】
2006337081.tif 000004
【図３】
2006337081.tif 000005
【図４】
2006337081.tif 000006